(57)【要約】【課題】専用部品などを追加することのない簡単な構造で、蓋が閉じられた状態での蓋のガタをなくすとともに、蓋閉じ時に蓋の縁が本体部の開口縁に乗り上げてしまうことのないヒンジ式蓋構造を提供する。  【解決手段】デジタルカメラ１０のカメラ本体１１に設けられた電池室蓋２０は、一端がヒンジ軸１９によりカメラ本体１１に軸支され、該ヒンジ軸１９を中心に回転して開閉可能とする。電池室蓋２０は、左右の側面部２３のそれぞれに誘いリブ２４とガタ防止リブ２５とを備える。前記誘いリブ２４の高さは、前記ガタ防止リブ２５の高さより低く設定する。前記２本のリブは、開閉方向の略全幅に亘って設ける。【選択図】図３
2008174296.tif 000002
【特許請求の範囲】
【請求項１】
一端がヒンジ軸により本体部に回転自在に軸支されて開閉し、閉時に左右の側面部が本体部の開口縁に摺接して閉じる蓋を備えたヒンジ式蓋構造において、
前記蓋は、左右の側面部のそれぞれに、ガタ防止リブと、前記ガタ防止リブより前記ヒンジ軸に近い位置で且つ高さの低い誘いリブとを備えたことを特徴とするヒンジ式蓋構造。
【請求項２】
一端がヒンジ軸により本体部に回転自在に軸支されて開閉し、閉時に左右の側面部が本体部の開口縁に摺接して閉じる蓋を備えたヒンジ式蓋構造において、
前記蓋は、左右の側面部のそれぞれに、開閉方向と垂直の方向に長く、前記ヒンジ軸に近い方は高さが低く前記ヒンジ軸から遠い方は高い傾斜面を有するテーパリブを備えたことを特徴とするヒンジ式蓋構造。
【請求項３】
前記蓋は、前記リブの高さが、外観面側で高く裏面側で低い傾斜面であることを特徴とする請求項１または２記載のヒンジ式蓋構造。
【請求項４】
一端がヒンジ軸により本体部に回転自在に軸支されて開閉し、閉時に左右の側面部が本体部の開口縁に摺接して閉じる蓋を備えたヒンジ式蓋構造において、
前記開口縁は、左右のそれぞれに、ガタ防止リブと、前記ガタ防止リブより前記ヒンジ軸に近い位置で且つ高さの低い誘いリブとを備えたことを特徴とするヒンジ式蓋構造。
【請求項５】
一端がヒンジ軸により本体部に回転自在に軸支されて開閉し、閉時に左右の側面部が本体部の開口縁に摺接して閉じる蓋を備えたヒンジ式蓋構造において、
前記開口縁は、左右のそれぞれに、前記蓋の開閉方向と垂直の方向に長く、前記ヒンジ軸に近い方は高さが低く前記ヒンジ軸から遠い方は高くなる傾斜面を有するテーパリブを備えたことを特徴とするヒンジ式蓋構造。
【請求項６】
前記リブは、リブの高さが、外観面側で低く裏面側で高い傾斜面であることを特徴とする請求項４または５記載のヒンジ式蓋構造。
【発明の詳細な説明】
【技術分野】
【０００１】
本発明は、ヒンジ式蓋の嵌合構造に関し、特に、蓋の取り付け状態におけるガタをなくし、蓋を閉じる時に、蓋が開口縁に乗り上げることのないヒンジ式蓋構造に関するものである。
【背景技術】
【０００２】
従来、ヒンジ式の蓋構造は蓋の一端側を回転自在に支持し他端にロック部材などが設けられた構造になっていることが多い。例えば、下記特許文献１に示されるように、蓋部の一端側に設けられたヒンジ機構を中心にして蓋部が回転し開閉する。閉じ位置では、蓋部の他端に設けられたロック機構によって、ケース本体にロックされる。
【０００３】
また、下記特許文献２および３には、自動車のコンソールボックス蓋構造が示されている。ここでは、従来の蓋構造におけるヒンジ部のガタをなくすため、蓋の開閉を掌る操作ボタンと、該操作ボタンと連動してボックス本体に設けられた軸孔を出没するヒンジピンを備え、前記ヒンジピンの出没動を案内する独立したガイド部材を設けることにより、出没動するヒンジピンの不用意なガタつきが抑制できる。
【特許文献１】特開平０６−０９８２１６号公報
【特許文献２】特開平１１−１８３９６５号公報
【特許文献３】特開平０９−１９７４７９号公報
【発明の開示】
【発明が解決しようとする課題】
【０００４】
このような従来の蓋開閉構造は、簡単な構造のものはヒンジ部にガタが発生し、蓋開閉時に蓋部が本体基部に乗り上げてしまう不具合が生じていた。また、前述の特許文献２または３のようにヒンジ部のガタを抑制し不具合が発生しないようにしたものも提案されているが、構造が複雑で部品数が多いという問題点のあるものであった。
【０００５】
本発明は上記問題点に鑑み、専用部品などを追加することのない簡単な構造で、蓋が閉じられた状態での蓋のガタをなくすとともに、蓋閉じ時に蓋の縁が本体部の開口縁に乗り上げてしまうことのない蓋構造を提供することを目的とする。
【課題を解決するための手段】
【０００６】
上記目的を達成するために本発明は、一端がヒンジ軸によって軸支され該ヒンジ軸を中心に回転して開閉し、閉じる時に左右の側面部が本体部の開口縁に摺接する蓋を備えたヒンジ式蓋構造において、前記蓋の側面部の左右それぞれに２本のリブを設ける。あるいは前記開口縁の前記蓋の側面が摺接する面に２本のリブを設ける。前記ヒンジ軸に近い側に高さの低い誘いリブを設け、ヒンジ軸から遠い方に高さの高いガタ防止リブを設ける。２本のリブは前記側面部の開閉方向の略全幅に亘って設ける。
【０００７】
あるいは前記蓋または開口縁の左右の側面に、開閉方向と垂直の方向にテーパリブを設け、該テーパリブの高さは、軸に近い方は低く軸から遠い方は高い傾斜面とする。
【発明の効果】
【０００８】
かかる構成とすることによって、蓋は、閉じられる時に側面部に設けられた誘いリブによって中央に誘導されるので、蓋の左右の側面部（角部）が開口縁の角部に乗り上げることがなく円滑な開閉操作ができ、閉じられた後はガタが生じないヒンジ式蓋構造を、簡単な構造により提供することができる。
【発明を実施するための最良の形態】
【０００９】
以下、本発明の実施形態であるヒンジ式蓋構造を電池室蓋に採用したデジタルカメラについて説明する。図１に示すデジタルカメラ１０は、本発明によるヒンジ式蓋構造を採用した電池室蓋２０を備える。略直方体形状のカメラ本体１１は、前カバー１２と後カバー１３によって撮影機構を前後から包む形で構成されている。前カバー１２は撮影レンズ１４を備えた鏡胴部１５およびストロボ発光部１６を露呈している。
【００１０】
後カバー１３には、画像を表示する表示手段であるＬＣＤパネル（図示せず）が設けられ、ＬＣＤパネルの表面は、タッチパネルとなっている。ＬＣＤパネルに表示された操作アイコンに対して、ユーザの指、又は付属する操作ペン（図示せず）などを用いて、タッチパネルに接触することによって操作を行うことができる。また、ＬＣＤパネルは、スルー画、再生画像、及び各種設定画面等を表示する。
【００１１】
この他に、撮影モードと再生モードとの間でモードを切り替える際に操作されるモード選択ボタン、再生モードにおいて再生画像を順送り及び逆送りする際に操作される送りボタンおよび戻しボタン、メニュー選択ボタン、表示ボタンなどの各種操作ボタンが設けられている（いずれも図示せず）。
【００１２】
カメラ本体１１の上面には、シャッタボタン（図示せず）が設けられている。シャッタボタンは、２段押しのボタンであり、このシャッタボタンが半押しされた時に、各種撮影準備処理が実行され、半押しよりさらに押し込まれて全押しされた時に、撮影処理が実行される。また、カメラ本体１１の底面には、電池室蓋２０が設けられている。
【００１３】
図２に示すように、電池室蓋２０を僅かに摺動させると、カメラ本体１１の底面に設けられた係止部１７と電池室蓋２０の係止爪２１との係合が外れ、電池室蓋２０は、電池室蓋２０に設けられたヒンジ軸１９を中心にして回動自在となり、下方に回転して開口部３０を露呈させる。開口部３０の中には、スロット３１と電池室３２が設けられている。
【００１４】
このスロット３１には、画像データが記録されるメモリカード３３が着脱自在に装填される。メモリカード３３には撮影された画像データが書き込まれて保存される。電池室３２には電池３４が着脱自在に装填される。
【００１５】
図３に示すように、前記電池室蓋２０の一端側に取り付けたヒンジ軸１９が、カメラ本体１１の底部に設けられた長穴である軸ガイド穴３５にスライド移動可能に支持されている。電池室蓋２０の側面部２３には、円柱面を有する誘いリブ２４およびガタ防止リブ２５が設けられている。側面部２３から最も高いところの寸法は、誘いリブ２４（ａ寸法）よりガタ防止リブ２５（ｂ寸法）の方が高く形成されている。
【００１６】
電池室蓋２０が閉じ位置にある時には、前記開口部３０を形成する左右の開口縁３６と側面部２３の間には所定のクリアランスが設けられているが、開口縁３６とガタ防止リブ２５との間には殆どクリアランスはなく、電池室蓋２０にガタは発生しない。また、誘いリブ２４およびガタ防止リブ２５の内側端にはテーパ面２４ａおよび２５ａが設けられている。
【００１７】
次に、図４に示す電池室蓋２０の閉じかけ状態の図にて作動の説明をする。電池室蓋２０を閉じ方向に移動させると、電池室蓋２０は、ヒンジ軸１９に近く且つ高さの低い誘いリブ２４がカメラ本体１１の開口縁３６に摺接しながら回動する。電池室蓋２０の開口部３０に対するガタ付きは、誘いリブ２４が前記開口部３０に挿入されることで、全開時より少なくなる。
【００１８】
図５に示すように、電池室蓋２０が更に回動すると、ヒンジ軸１９に対して誘いリブ２４より遠くに配置されたガタ防止リブ２５が前記開口縁３６に摺接する。電池室蓋２０は、誘いリブ２４が前記開口部３０に挿入されているので、ガタ防止リブ２５が開口縁３６に乗り上げることなく、続けて回動し、電池室蓋２０の底面がカメラ本体１１に当接する（図６参照）。
【００１９】
続けて電池室蓋２０をスライド移動させると、ヒンジ軸１９がカメラ本体１１に設けられた軸ガイド穴３５に摺接しながらスライド移動する。電池室蓋２０が開口部３０に完全に収納されると、電池室蓋２０の先端に設けられた係止爪２１が、カメラ本体１１に設けられた係止部１７に係合し、電池室蓋２０がカメラ本体１１に固定される（図７参照）。
【００２０】
前記実施形態では、前記誘いリブ２４およびガタ防止リブ２５の内側端にテーパ面２４ａおよび２５ａを設けたが、図８に示す誘いリブリブ２７およびガタ防止リブ２８のように全体に亘ってテーパ面２７ａおよび２８ａを設けても良い。
【００２１】
図９に示す別の実施形態は、前記実施形態において、前記電池室蓋２０に設けた誘いリブ２４とガタ防止リブ２５を前記電池室蓋２０には設けず、同様なものを前記開口縁３６に設けたものであり、その他の構造は全く同じであるから、同じ部分の説明は省略する。電池室蓋４０の側面部４３には前述の誘いリブとガタ防止リブは設けられていない。代わりに開口縁３６に誘いリブ３７とガタ防止リブ３８が設けられている。ここでも誘いリブ３７（ａ寸法）よりガタ防止リブ３８（ｂ寸法）の方が高く形成されている。
【００２２】
電池室蓋４０が閉じ位置にある時には、側面部４３と前記誘いリブ３７との間には所定のクリアランスが設けられているが、側面部４３と前記ガタ防止リブ３８との間には殆どクリアランスはなく、電池室蓋４０にガタは発生しない。また、誘いリブ３７およびガタ防止リブ３８の外側端にはテーパ面３７ａおよび３８ａが設けられている。
【００２３】
図１０に示す電池室蓋４０の閉じかけ状態の図にて作動の説明をする。電池室蓋４０を閉じ方向に移動させると、電池室蓋４０は、側面部４３が開口縁３６に設けられた高さの低い誘いリブ３７に摺接する。これによって電池室蓋４０の開口部３０に対するガタ付きは、全開時より少なくなる。
【００２４】
次に、図１１に示すように、電池室蓋４０が更に回動すると、側面部４３が高さの高いガタ防止リブ３８に摺接する。電池室蓋４０は、側面部４３の一部が既に誘いリブ３７と嵌合しているので、ガタ防止リブ３８に乗り上げることなく、底面がカメラ本体１１に当接するまで続けて回動する。
【００２５】
続けて電池室蓋４０をスライド移動させ、電池室蓋４０が開口部３０に収納されると、電池室蓋４０の先端に設けられた係止爪４１が、カメラ本体１１に設けられた係止部１７に係合し、電池室蓋４０がカメラ本体１１に固定する。
【００２６】
ここで、前記誘いリブ３７およびガタ防止リブ３８の外側端にテーパ面３７ａおよび３８ａを設けたが、図１２に示すように、テーパ面をリブ全体に亘って設け、３７ｂおよび３８ｂのようにしても良い。
【００２７】
次に、図１３に示す第３の実施形態である電池室蓋５０は、前述の実施形態における電池室蓋２０の側面部に長手方向に沿って１本のリブを設けたものであり、その他の構造は全く同じであるから、同じ部分は同じ記号とし説明は省略する。電池室蓋５０の側面部５３には電池室蓋５０の開閉方向と垂直な方向に１本の長いテーパリブ５４が設けられている。テーパリブ５４は左右の側面部５３に設けられており、ヒンジ軸１９に近い側から除々に高さを増していくテーパになっている。
【００２８】
電池室蓋５０を閉じ方向に移動させると、ヒンジ軸１９に近い側からテーパリブ５４が開口縁３６に摺接していく。電池室蓋５０が閉じ方向への回動を続けると、テーパリブ５４は次第に高さの高い部分が開口縁３６に摺接していき、電池室蓋５０が閉じられた時にはテーパリブ５４の最も高い部分も開口部３０に収納される。テーパリブ５４の最も高いところでは、側面部３６との間はクリアランスが殆どなく、電池室蓋５０がガタつくことはない。こうして電池室蓋５０は、開口縁３６に乗り上げることなく、閉じることが出来る。
【００２９】
前記テーパリブ５４は側面部５３に沿って長手方向にテーパを設けたが、長手方向のテーパに加えて、開閉方向にもテーパを設けても良い。図１４に示すように、電池室蓋５０の厚さ方向にテーパ面５４ｂを設ける。テーパ面５４ｂはリブ全体としては斜めに亘って設けられ、ヒンジ軸１９から最も遠く最も外側に近い角が最も高くなる。テーパ面は平面でも良く、緩やかに捩れた面でも良い。
【００３０】
次に第４の実施形態について説明する。図１５に示すように電池室蓋４０は、前述の別の実施形態における電池室蓋４０と同じものであり開口縁３６にリブがない。開口部３０は、第３の実施形態のように開口縁３６に沿って長手方向にテーパリブ３９を設けたものであって、その他の構造は同じであるから、同じ部分は同じ記号とし説明は省略する。
【００３１】
電池室蓋４０は、開口縁３６に電池室蓋４０の開閉方向と垂直な方向に１本の長いテーパリブ３９が設けられている。テーパリブ３９は左右の側面部３６に設けられており、ヒンジ軸１９に近い側から除々に高さを増していくテーパになっている。
【００３２】
電池室蓋４０を閉じ方向に移動させると、側面部４３はリブテーパ３９のヒンジ軸１９に近い側から摺接していく。電池室蓋４０が閉じ方向への回動を続けると、側面部４３は次第にテーパリブ３９の高さの高い部分と摺接していき、電池室蓋４０が閉じられた時にはテーパリブ３９の最も高い部分と接触した状態となる。テーパリブ３９の最も高いところでは、側面部４３との間に殆どクリアランスはなく、電池室蓋４０がガタつくことはない。こうして電池室蓋４０は、開口縁３６に乗り上げることなく、閉じることが出来る。
【００３３】
前記テーパリブ３９は長手方向にテーパを設けたが、長手方向のテーパに加えて、開閉方向にもテーパを設けても良い。図１６に示すように、電池室蓋４０の厚さ方向にテーパ面３９ｂを設ける。テーパ面３９ｂはリブ全体を斜めに傾斜して設けられ、ヒンジ軸１９から最も遠く最も内側に近い角が最も高くなる。テーパ面は平面でも良く、緩やかに捩れた面でも良い。
【００３４】
上記の各実施形態では、ヒンジ軸１９を電池室蓋２０，４０，５０とは別部材としたが、電池室蓋２０，４０，５０に一体に形成しても良い。
【００３５】
上記実施形態では、デジタルカメラの電池室蓋にて説明したが、カメラに限定されることはなく、ヒンジ式の蓋構造であればどのようなものにでも本発明を実施することは可能である。
【図面の簡単な説明】
【００３６】
【図１】本発明の実施形態であるヒンジ式蓋構造を電池室蓋に採用したデジタルカメラを斜め下から見た斜視図である。
【図２】図１の電池室蓋を開いた状態の斜視図である。
【図３】３方向から見た電池室蓋部分の部分断面図である。
【図４】電池室蓋の誘いリブが開口縁にかかった時の部分断面図である。
【図５】電池室蓋のガタ防止リブが開口縁にかかった時の部分断面図である。
【図６】電池室蓋の係止爪が外れた状態の部分断面図である。
【図７】電池室蓋が完全に閉じた状態の部分断面図である。
【図８】電池室蓋に設けたリブの全体をテーパにした時の部分断面図である。
【図９】別の実施形態による電池室蓋を３方向から見た部分断面図である。
【図１０】別の実施形態による電池室蓋の誘いリブが開口縁にかかった時の部分断面図である。
【図１１】別の実施形態による電池室蓋のガタ防止リブが開口縁にかかった時の部分断面図である。
【図１２】別の実施形態の開口縁に設けたリブの全体をテーパにした時の部分断面図である。
【図１３】第３の実施形態による電池室蓋を３方向から見た部分断面図である。
【図１４】第３の実施形態の電池室蓋に設けたテーパリブにニ方向にテーパをつけた時の部分断面図である。
【図１５】第４の実施形態による電池室蓋を３方向から見た部分断面図である。
【図１６】第４の実施形態の開口縁に設けたテーパリブにニ方向にテーパをつけた時の部分断面図である。
【符号の説明】
【００３７】
１０  デジタルカメラ
１１  カメラ本体
１７  係止部
１９  ヒンジ軸
２０，４０，５０  電池室蓋
２１，４１，５１  係止爪
２３，４３，５３  側面部
２４，３７  誘いリブ
２５，３８  ガタ防止リブ
３０  開口部
３５  軸ガイド穴
３６  開口縁
３９，５４  テーパリブ
【図１】
2008174296.tif 000003
【図２】
2008174296.tif 000004
【図３】
2008174296.tif 000005
【図４】
2008174296.tif 000006
【図５】
2008174296.tif 000007
【図６】
2008174296.tif 000008
【図７】
2008174296.tif 000009
【図８】
2008174296.tif 000010
【図９】
2008174296.tif 000011
【図１０】
2008174296.tif 000012
【図１１】
2008174296.tif 000013
【図１２】
2008174296.tif 000014
【図１３】
2008174296.tif 000015
【図１４】
2008174296.tif 000016
【図１５】
2008174296.tif 000017
【図１６】
2008174296.tif 000018